(57)【要約】      （修正有）【課題】各冷凍装置の運転状態を安定に保持しつつ、効率的な運転を可能とする多元冷凍装置の圧縮機の容量制御方法を提供する。【解決手段】それぞれ、圧縮機１８，２８，３８と、凝縮器２２と、絞り機構２４，３４，４９と、蒸発器７２とがこの順に接続されて、冷媒が循環する冷媒回路を構成し、複数の冷媒回路がカスケード接続された多元冷凍装置において、各冷媒回路における圧縮機にその容量を制御する容量制御回路４０，４８，５８を設け、該容量制御回路により、最も高元側の冷媒回路または最も低元側の冷媒回路の負荷変動に応答して、負荷変動を生じた冷媒回路の圧縮機の容量制御を行う場合に、他のすべての冷媒回路の圧縮機の容量制御を併行して行うことを特徴とする、多元冷凍装置の圧縮機の容量制御方法。【選択図】図１
2015215109.tif 000002
【特許請求の範囲】
【請求項１】
それぞれ、圧縮機と、凝縮器と、絞り機構と、蒸発器とがこの順に接続されて、冷媒が循環する冷媒回路を構成し、複数の冷媒回路がカスケード接続された多元冷凍装置において、各冷媒回路における圧縮機にその容量を制御する容量制御回路を設け、該容量制御回路により、最も高元側の冷媒回路または最も低元側の冷媒回路の負荷変動に応答して、負荷変動を生じた冷媒回路の圧縮機の容量制御を行う場合に、他のすべての冷媒回路の圧縮機の容量制御を併行して行うことを特徴とする、多元冷凍装置の圧縮機の容量制御方法。
【請求項２】
他のすべての冷媒回路の圧縮機の容量制御は、先発の冷媒回路の圧縮機の容量制御における容量の変化割合と同じ変化割合で行う、請求項１に記載の多元冷凍装置の圧縮機の容量制御方法。
【請求項３】
前記圧縮機の容量制御は、インバータの周波数により、圧縮機の回転数を制御することにより、圧縮機からの冷媒吐出流量を制御する、請求項２に記載の多元冷凍装置の圧縮機の容量制御方法。
【請求項４】
前記複数の冷媒回路において、異なる冷媒が用いられる場合において、
前記制御回路は、圧縮機の冷媒吐出圧力と冷媒吸入圧力との比からなる圧力比を演算し、複数の冷媒回路の圧力比同士の比率が、冷媒の物性値の違いに応じた所定値に維持されるように圧縮機の回転数制御を行う、請求項３に記載の多元冷凍装置の圧縮機の容量制御方法。
【請求項５】
前記多元冷凍装置の少なくとも冷凍装置の負荷運転中に、最も高元側の冷媒回路または最も低元側の冷媒回路の圧縮機からの冷媒吐出圧力を監視しながら、その冷媒吐出圧力が、高圧カット値より低い第１閾値より高く、かつ高圧カット値より低い場合には、他のすべての冷媒回路の圧縮機の容量を低減させ、その冷媒吐出圧力が第１閾値より小さい第２閾値より低い場合には、他のすべての冷媒回路の圧縮機の容量を増大させ、その冷媒吐出圧力が第２閾値と第１閾値との間の場合には、他のすべての冷媒回路の圧縮機の容量を維持すること、を特徴とする、請求項１ないし４のいずれか１項に記載の多元冷凍装置の圧縮機の容量制御方法。
【請求項６】
前記第１閾値および／または前記第２閾値は、最も高元側の冷媒回路の凝縮器における外部負荷変動幅および／または外部負荷変動に対して、前記多元冷凍装置に要求される負荷追従性により決定する、請求項５に記載の多元冷凍装置の圧縮機の容量制御方法。
【請求項７】
さらに、前記多元冷凍装置の少なくとも冷凍装置の負荷運転中に、最も低元側の冷媒回路の圧縮機の冷媒吸込圧力を監視しながら、その冷媒吸込圧力が低圧カット値より高い第３閾値より低く、かつ低圧カット値より高い場合には、他のすべての冷媒回路の圧縮機の容量を低減させ、冷媒吸込圧力が第３閾値より大きい第４閾値より高い場合には、他のすべての冷媒回路の圧縮機の容量を増大させ、冷媒吸込圧力が第３閾値と第４閾値との間の場合には、他のすべての冷媒回路の圧縮機の容量を維持する、請求項５に記載の多元冷凍装置の圧縮機の容量制御方法。
【請求項８】
さらに、最も高元側の冷媒回路の凝縮器への外部熱媒流入温度が第５閾値より高い場合には、他のすべての圧縮機の容量を低減させ、凝縮器への外部熱媒流入温度が、第５閾値より低い第６閾値より低い場合には、他のすべての圧縮機の容量を増大させ、凝縮器への外部熱媒流入温度が第５閾値と第６閾値との間の場合には、他のすべての圧縮機の容量を維持する、請求項７に記載の多元冷凍装置の圧縮機の容量制御方法。
【請求項９】
前記圧縮機の容量の低減段階は、高元冷媒吐出圧力が第１閾値より高い場合、低元冷媒吸込圧力が第３閾値より低い場合、および凝縮器への外部熱媒流入温度が第５閾値より高い場合の少なくともいずれかを満たすことを条件に実行され、
前記圧縮機の容量の増大段階は、高元冷媒吐出圧力が第２閾値より低い場合、低元冷媒吸込み圧力が第４閾値より高い場合、および凝縮器への外部熱媒流入温度が第６閾値より低い場合のすべてを満たすことを条件に実行される、請求項８に記載の多元冷凍装置の圧縮機の容量制御方法。
【請求項１０】
前記圧縮機の容量の低減段階の実行後、第１所定時間経過するまで、圧縮機の容量制御を保留し、第１所定時間後に圧縮機の容量制御を再開する段階を有し、前記圧縮機の容量の増大段階の実行後、第２所定時間経過するまで、圧縮機の容量制御を保留し、第２所定時間後に圧縮機の容量制御を再開する段階を有し、前記第１所定時間は、高元冷媒吐出圧力が第１閾値より高い場合、低元冷媒吸込圧力が第３閾値より低い場合、および凝縮器への外部熱媒流入温度が第５閾値より高い場合それぞれに対して、個別に設定可能であり、前記第２所定時間は、高元冷媒吐出圧力が第２閾値より低い場合、低元冷媒吸込み圧力が第４閾値より高い場合、および凝縮器への外部熱媒流入温度が第６閾値より低い場合それぞれに対して、個別に設定可能である、請求項９に記載の多元冷凍装置の圧縮機の容量制御方法。
【請求項１１】
凝縮器への外部熱媒流入温度が第５閾値より高い場合について、冷媒吐出圧力が第１閾値より高い場合、および冷媒吸込圧力が第３閾値より低い場合それぞれに対してよりも長くなるように、前記第１所定時間を設定する、請求項１０に記載の多元冷凍装置の圧縮機の容量制御方法。
【請求項１２】
前記多元冷凍装置を温水製造用ヒートポンプとして利用する場合において、最も高元側の冷媒回路の凝縮器への給水入口温度を監視しながら、給水入口温度の変動に応答して、最も高元側の冷媒回路の圧縮機の容量制御を行う場合に、他のすべての冷媒回路の圧縮機の容量制御を併行して行うことを特徴とする、請求項１に記載の多元冷凍装置の圧縮機の容量制御方法。
【請求項１３】
前記多元冷凍装置を冷水製造用チラーとして利用する場合において、最も低元側の冷媒回路の蒸発器への給水入口温度を監視しながら、給水入口温度の変動に応答して、最も低元側の冷媒回路の圧縮機の容量制御を行う場合に、他のすべての冷媒回路の圧縮機の容量制御を併行して行うことを特徴とする、請求項１に記載の多元冷凍装置の圧縮機の容量制御方法。
【発明の詳細な説明】
【技術分野】
【０００１】
本発明は、多元冷凍装置の圧縮機の容量制御方法に関し、より詳細には、各冷凍装置の運転状態を安定に保持しつつ、効率的な運転を可能とする多元冷凍装置の圧縮機の容量制御方法に関する。
【背景技術】
【０００２】
従来から、主に、多段圧縮式冷凍装置における低段側の押しのけ量の増大を解消しつつ、定常運転時での冷媒の凝縮圧力並びに圧縮機吐出圧力の上昇を防止することにより、耐圧強度の高い装置を不要とする観点から、多元冷凍装置が用いられている。
たとえば、二元冷凍装置は、圧縮機と、凝縮器と、電子膨張弁に代表される絞り機構と、中間熱交換器の蒸発部とが順に接続されて構成され、高元冷媒が循環する高元側冷媒回路と、圧縮機と、中間熱交換器の凝縮部と、絞り機構と、蒸発器とが順に接続されて構成され、低元冷媒が循環すると共に、中間熱交換器において高元冷媒と低元冷媒とが熱交換する少なくとも１つの低元側冷媒回路とを備える（特許文献１ないし特許文献３）。
【０００３】
このような二元冷凍装置において、高元側冷媒回路あるいは低元側冷媒回路において、負荷の変動が生じた場合、従来、高元側冷媒回路の圧縮機の容量制御、および低元側冷媒回路の圧縮機の容量制御を、それぞれ個別に行っていた。
より詳細には、いずれかの冷媒回路の外部負荷が変動した場合、それぞれの圧縮機において、圧縮機の冷媒吸込み圧力が低圧カット値より高いロードダウン値に達したら、たとえば、圧縮機の回転数を下げることにより圧縮機の容量を低減、すなわち冷媒吐出流量を減少させ、一方、圧縮機の冷媒吸込み圧力がロードダウン値より高いロードアップ値に達したら、圧縮機の容量を増大、すなわち冷媒吐出流量を増大させ、それにより、蒸発器における負荷の変動に応じて、圧縮機の圧縮比をなるべく小さく維持することにより、圧縮機の効率的な運転を行っていた。
しかしながら、各冷媒回路の圧縮機の容量制御を個別に行っていたことに起因して、以下のような技術的課題が引き起こされる。
【０００４】
第１に、各冷媒回路の運転状態の安定性が損なわれる点である。
より詳細には、たとえば、高元側冷媒回路の負荷変動が生じ、まず高元側冷媒回路の圧縮機の容量制御により、回転数を低減して、アンロードする際、中間熱交換器における熱バランスが変動することにより、低元側冷媒回路に影響が及び、この場合には、中間熱交換器における高元側冷媒回路の冷却熱量が低減することになるので、低元側冷媒回路の凝縮熱の放熱が不十分となり、冷媒圧力の上昇を引き起こす。
そこで、凝縮圧力の上昇を検知して独自の判断に基づき、低元側冷媒回路の圧縮機の容量制御により回転数を低減して、アンロードする必要があるが、先発で容量制御された高元側冷媒回路の冷凍サイクルに他方の低元側冷媒回路の容量が適切に追従するまでのタイムラグの時間間隔において、一時的に各冷凍サイクルの能力バランスが崩れ、互いに圧力比が大きく異なる状態が生じることがあり、遅延タイマー等による後発の容量制御のタイミングが遅い場合には、高圧カット保護による異常停止に至ることもある。
【０００５】
第２に、各冷媒回路の冷凍サイクルの効率性が低下する点である。
より詳細には、先発の容量制御に起因して後発の容量制御を行う場合には、第１の技術的問題点が生じ得るが、先発の容量制御によっても後発の容量制御に至らず、この場合には、圧力比が偏った冷凍サイクルの効率の悪い状態で後発の運転が継続される可能性がある。
さらに、先発の容量制御による後発の容量制御により、さらに先発の容量制御を引き起こす等、各冷媒回路の容量制御が連鎖的に継続し、運転状態の安定化に時間を要し、その分冷凍サイクルの効率性が低下することもある。
以上のような技術的問題点は、二元冷凍装置に限らず、単一の圧縮機を採用する単元冷凍装置でない多元冷凍装置に共通の課題である。
【０００６】
【特許文献１】特開平７−１２４３９号
【特許文献２】特開２００１−２４１７８９号
【特許文献３】特開２００９−１３３５３９号
【発明の開示】
【発明が解決しようとする課題】
【０００７】
以上の技術的問題点に鑑み、本発明の目的は、各冷凍装置の運転状態を安定に保持しつつ、効率的な運転を可能とする多元冷凍装置の圧縮機の容量制御方法を提供することにある。
【課題を解決するための手段】
【０００８】
上記課題を解決するために、本発明に係る多元冷凍装置の圧縮機の容量制御方法は、
それぞれ、圧縮機と、凝縮器と、絞り機構と、蒸発器とがこの順に接続されて、冷媒が循環する冷媒回路を構成し、複数の冷媒回路がカスケード接続された多元冷凍装置において、各冷媒回路における圧縮機にその容量を制御する容量制御回路を設け、該容量制御回路により、最も高元側の冷媒回路または最も低元側の冷媒回路の負荷変動に応答して、負荷変動を生じた冷媒回路の圧縮機の容量制御を行う場合に、他のすべての冷媒回路の圧縮機の容量制御を併行して行うことを特徴とする、構成としている。
【０００９】
以上の構成を有する多元冷凍装置の圧縮機の容量制御方法によれば、各冷媒回路における圧縮機にその容量を制御する容量制御回路を設け、この容量制御回路により、最も高元側の冷媒回路または最も低元側の冷媒回路の負荷変動に応答して、負荷変動を生じた冷媒回路の圧縮機の容量制御を行う場合に、他のすべての冷媒回路の圧縮機の容量制御を併行して行うことにより、たとえば、負荷変動を生じた最も高元側の冷媒回路の圧縮機を先発でアンロードの容量制御したうえで、他のすべての冷媒回路の圧縮機の容量制御を順次行うとすれば、先発で容量制御された高元側冷媒回路の冷凍サイクルに他方の低元側冷媒回路の容量が適切に追従するまでのタイムラグの時間間隔において、一時的に各冷凍サイクルの能力バランスが崩れ、互いに圧力比が大きく異なる状態が生じることがあり、特に遅延タイマー等による後発の容量制御のタイミングが遅い場合には、高圧カット保護による異常停止を引き起こすことがあり、あるいは、異常停止に至らないとしても、各冷媒回路の容量制御が連鎖的に継続し、運転状態の安定化に時間を要することとなるところ、本発明によれば、このような冷凍サイクルの効率性が低下することもなく、各冷凍装置の運転状態を安定に保持しつつ、効率的な運転が可能となる。
なお、負荷変動を生じた冷媒回路の圧縮機の容量制御に対して、他のすべての冷媒回路の圧縮機の容量制御を併行して行うとは、負荷変動を生じた冷媒回路の圧縮機の容量制御に対して、他のすべての冷媒回路においてそれぞれ、圧縮機の容量制御を互いに独立に個別に判断したうえで、順次に行う場合を除くものの、負荷変動を生じた冷媒回路の圧縮機の容量制御と他のすべての冷媒回路の圧縮機の容量制御とを同時に行う必要はなく、たとえば、最も高元側の冷媒回路に負荷変動が発生した場合において、最も高元側の冷媒回路の圧縮機の容量制御を先発して行うときに、他のいずれかの冷媒回路の冷凍サイクルの能力バランスが崩れたり、運転状態の不安定化を生じる前に、他のすべての冷媒回路においてそれぞれ、圧縮機の容量制御を互いに独立に個別に判断することなく、他のすべての冷媒回路の圧縮機の容量制御を行うことを意味する。
【００１０】
また、他のすべての冷媒回路の圧縮機の容量制御は、先発の冷媒回路の圧縮機の容量制御における容量の変化割合と同じ変化割合で行うのがよい。
さらに、前記圧縮機の容量制御は、インバータの周波数により、圧縮機の回転数を制御することにより、圧縮機からの冷媒吐出流量を制御するのがよい。
さらにまた、前記複数の冷媒回路において、異なる冷媒が用いられる場合において、
前記制御回路は、圧縮機の冷媒吐出圧力と冷媒吸入圧力との比からなる圧力比を演算し、複数の冷媒回路の圧力比同士の比率が、冷媒の物性値の違いに応じた所定値に維持されるように圧縮機の回転数制御を行うのがよい。
【００１１】
加えて、前記多元冷凍装置の少なくとも冷凍装置の負荷運転中に、最も高元側の冷媒回路の圧縮機からの冷媒吐出圧力を監視しながら、その冷媒吐出圧力が、高圧カット値より低い第１閾値より高く、かつ高圧カット値より低い場合には、他のすべての冷媒回路の圧縮機の容量を低減させ、その冷媒吐出圧力が第１閾値より小さい第２閾値より低い場合には、他のすべての冷媒回路の圧縮機の容量を増大させ、その冷媒吐出圧力が第２閾値と第１閾値との間の場合には、他のすべての冷媒回路の圧縮機の容量を維持するのでもよい。
また、前記第１閾値および／または前記第２閾値は、最も高元側の冷媒回路の凝縮器における外部負荷変動幅および／または外部負荷変動に対して、前記多元冷凍装置に要求される負荷追従性により決定するのでもよい。
さらに、前記多元冷凍装置の少なくとも冷凍装置の負荷運転中に、最も低元側の冷媒回路の圧縮機の冷媒吸込圧力を監視しながら、その冷媒吸込圧力が低圧カット値より高い第３閾値より低く、かつ低圧カット値より高い場合には、他のすべての冷媒回路の圧縮機の容量を低減させ、冷媒吸込圧力が第３閾値より大きい第４閾値より高い場合には、他のすべての冷媒回路の圧縮機の容量を増大させ、冷媒吸込圧力が第３閾値と第４閾値との間の場合には、他のすべての冷媒回路の圧縮機の容量を維持するのでもよい。
【００１２】
さらに、最も高元側の冷媒回路の凝縮器への外部熱媒流入温度が第５閾値より高い場合には、他のすべての圧縮機の容量を低減させ、凝縮器への外部熱媒流入温度が第５閾値より低い第６閾値より低い場合には、他のすべての圧縮機の容量を増大させ、凝縮器への外部熱媒流入温度が第５閾値と第６閾値との間の場合には、他のすべての圧縮機の容量を維持するのでもよい。
加えて、前記圧縮機の容量の低減段階は、冷媒吐出圧力が第１閾値より高い場合、冷媒吸込圧力が第３閾値より低い場合、および凝縮器への外部熱媒流入温度が第５閾値より高い場合の少なくともいずれかを満たすことを条件に実行され、
前記圧縮機の容量の増大段階は、冷媒吐出圧力が第２閾値より低い場合、冷媒吸込み圧力が第４閾値より高い場合、および凝縮器への外部熱媒流入温度が第６閾値より低い場合のすべてを満たすことを条件に実行されるのでもよい。
【００１３】
また、前記圧縮機の容量の低減段階の実行後、第１所定時間経過するまで、圧縮機の容量制御を保留し、第１所定時間後に圧縮機の容量制御を再開する段階を有し、前記圧縮機の容量の増大段階の実行後、第２所定時間経過するまで、圧縮機の容量制御を保留し、第２所定時間後に圧縮機の容量制御を再開する段階を有し、前記第１所定時間は、高元冷媒吐出圧力が第１閾値より高い場合、低元冷媒吸込圧力が第３閾値より低い場合、および凝縮器への外部熱媒流入温度が第５閾値より高い場合それぞれに対して、個別に設定可能であり、前記第２所定時間は、高元冷媒吐出圧力が第２閾値より低い場合、低元冷媒吸込み圧力が第４閾値より高い場合、および凝縮器への外部熱媒流入温度が第６閾値より低い場合それぞれに対して、個別に設定可能であるのがよい。
さらにまた、凝縮器への外部熱媒流入温度が第５閾値より高い場合について、冷媒吐出圧力が第１閾値より高い場合、および冷媒吸込圧力が第３閾値より低い場合それぞれに対してよりも長くなるように、前記第１所定時間を設定するのがよい。
加えて、前記多元冷凍装置を温水製造用ヒートポンプとして利用する場合において、最も高元側の冷媒回路の凝縮器への給水入口温度を監視しながら、給水入口温度の変動に応答して、最も高元側の冷媒回路の圧縮機の容量制御を行う場合に、他のすべての冷媒回路の圧縮機の容量制御を併行して行うのでもよい。
さらに、前記多元冷凍装置を冷水製造用チラーとして利用する場合において、最も低元側の冷媒回路の蒸発器への給水入口温度を監視しながら、給水入口温度の変動に応答して、最も低元側の冷媒回路の圧縮機の容量制御を行う場合に、他のすべての冷媒回路の圧縮機の容量制御を併行して行うのでもよい。
【発明を実施するための最良の形態】
【００１４】
本発明に係る三元冷凍装置１０の実施形態を図面を参照しながら、以下に詳細に説明する。
図１において、三元冷凍装置１０は、高元側冷媒回路１２と中元側冷媒回路１１とが第１中間熱交換器１６で接続されるとともに、中元側冷媒回路１１と低元側冷媒回路１４とが第２中間熱交換器７１で接続されている。高元側冷媒、中元側冷媒および低元側冷媒それぞれについては、たとえば、フロン系として、Ｒ２２およびＲ２３、非フロン系として、アンモニア冷媒および二酸化炭素冷媒を用いてもよい。
高元側冷媒回路１２、中元側冷媒回路１１および低元側冷媒回路１４は、冷媒回路としての構成は、同様であることから、以下では、高元側冷媒回路１２について説明する。
高元側冷媒回路１２は、概略的には、高元側圧縮機１８の吐出側に一端が接続された高元側冷媒往管２０の他端が、凝縮器２２、膨張弁２４を介して第１中間熱交換器１６の１次側流路入口に接続され、１次側流路出口に一端が接続された高元側冷媒復管２６の他端が、高元側圧縮機１８の吸入側に接続され、冷媒回路を構成している。
【００１５】
第１中間熱交換器１６は、乾式の蒸発器として構成され、第１中間熱交換器１６の内部に高元側冷媒回路１２と接続された熱交換管（図示せず）が配設され、胴側に中元側冷媒ガスが充満するようにする。これにより、高元側冷媒と管外の中元側冷媒ガスとが熱交換し、中元側冷媒が凝縮すると共に、第１中間熱交換器１６の出口で高元側冷媒が乾きガスとなって高元側圧縮機１８に吸引されるようにしてある。
【００１６】
高元側圧縮機１８は、たとえば、容量制御式の往復圧縮機または回転あるいは遠心圧縮機が用いられる。特に、往復式圧縮機であれば、潤滑剤をクランク室等の低圧チャンバーに戻し、スクリュー圧縮機であれば、圧縮機ケーシングの低圧域又は中間圧域に戻すようにする。高元側冷媒回路１２における高元側圧縮機１８の駆動用モータ３８には、インバータ装置４０を設けて駆動用モータ３８を回転数制御できるようにしてある。
【００１７】
高元側圧縮機１８の下流側には油分離器４２が設けられ、油分離器４２で分離された潤滑剤は高元側圧縮機１８に戻される。油分離器４２の下流側には、順に凝縮器２２及び受液器４４が設けられ、受液器４４の下流側には、運転の開始時又は停止時に高元側冷媒回路１２の開閉を行なう電磁弁（図示せず）と、膨張弁２４とが設けられている。凝縮器２２は、蒸発式、水冷式又は空冷式でもよい。高元側圧縮機１８の上流側の高元側冷媒復管２６には、冷媒ガス温度を検出する温度センサ（図示せず）と冷媒ガス圧力を検出する圧力センサ（図示せず）が設けられ、高元側冷媒ガスは、高元側冷媒復管２６を通って高元側圧縮機１８に吸入される。高元側冷媒復管２６には、吸入圧力調整弁（図示せず）が設けられ、ここで高元側冷媒ガスの圧縮機吸入圧が調整される。
高元側冷媒回路１２において、高元側圧縮機１８の上流側にアキュムレータ４７が設けられ、ここで冷媒中の液滴が除去される。
【００１８】
第２中間熱交換器７１も、第１中間熱交換器１６と同様な構成であり、第２中間熱交換器７１の内部に中元側冷媒回路１１と接続された熱交換管（図示せず）が配設され、胴側に低元側冷媒ガスが充満するようにする。これにより、中元側冷媒と管外の低元側冷媒ガスとが熱交換し、低元側冷媒が凝縮すると共に、第２中間熱交換器７１の出口で中元側冷媒が乾きガスとなって中元側圧縮機２８に吸引されるようにしてある。
なお、特に低元側冷媒回路１４において、低元側冷媒がかなりの低温である場合には、低元側冷媒に混入している潤滑剤の粘性が増大していることから、潤滑剤をアキュムレータ６７の上流側冷媒流路に戻すと、潤滑剤がアキュムレータ６７に付着して、アキュムレータ６７に油が停留すると、圧縮機に油が戻らなくなり、潤滑不要による圧縮機の損傷を引き起こすおそれがあるので、高元側圧縮機１８と同様に、油分離器を設けて、油分離器により分離された潤滑剤を低元側圧縮機３８の低圧域又はアキュムレータ６７と低元側圧縮機３８間の冷媒流路に戻してもよい。
【００１９】
ここに、制御部５２は、高元側圧縮機１８のインバータ装置４０と、中元側圧縮機２８のインバータ装置５０と、低元側圧縮機３８のインバータ装置６０とを制御するようにしており、能力運転中に、高元側圧縮機１８に負荷変動が発生した場合、すなわち、凝縮器２２の温水熱媒温度の変動が生じた際、高元側圧縮機１８がロードアップ条件あるいはロードダウン条件（後に説明）を充足するときには、高元側圧縮機１８のインバータ装置４０に対して、ロードアップ制御信号あるいはロードダウン制御信号を送信するとともに、他のすべての冷媒回路、すなわち、中元側圧縮機２８のインバータ装置５０および低元側圧縮機３８のインバータ装置６０それぞれに対しても、ロードアップ制御信号あるいはロードダウン制御信号を送信し、高元側圧縮機１８、中元側圧縮機２８および低元側圧縮機３８を併行して容量制御するようにしており、一方、能力運転中に、低元側圧縮機３８に負荷変動が発生した場合、すなわち、蒸発器７２の排温水熱媒温度の変動が生じた際、低元側圧縮機３８がロードアップ条件あるいはロードダウン条件を充足するときには（後に説明）、低元側圧縮機３８のインバータ装置６０に対して、ロードアップ制御信号あるいはロードダウン制御信号を送信するとともに、他のすべての冷媒回路、すなわち、中元側圧縮機２８のインバータ装置５０および高元側圧縮機１２のインバータ装置４０それぞれに対しても、ロードアップ制御信号あるいはロードダウン制御信号を送信し、高元側圧縮機１８、中元側圧縮機２８および低元側圧縮機３８を併行して容量制御するようにしている。
この場合、制御部５２は、冷媒吐出圧力Ｐoutが、高圧カット値ＰＨより低い第１閾値（冷媒吐出圧力ロードダウン値Ｐ１）より高く、かつ高圧カット値よりも低い場合には、圧縮機の容量を低減させ、冷媒吐出圧力Ｐoutが第１閾値より小さい第２閾値（冷媒吐出圧力ロードアップ値Ｐ３）より低い場合には、圧縮機の容量を増大させ、冷媒吐出圧力Ｐoutが第２閾値と第１閾値との間の場合には、圧縮機の容量を維持するようにしている。
【００２０】
さらに、制御部５２は、三元冷凍装置１０の負荷運転中に、低元側冷媒回路１４の圧縮機からの冷媒吸込圧力Ｐinを監視しながら、冷媒吸込圧力Ｐinが低圧カット値ＰＬより高い第３閾値（冷媒吸込圧力ロードダウン値Ｐ２）より低く、かつ低圧カット値よりも高い場合には、他のすべての冷媒回路の圧縮機の容量を低減させ、冷媒吸込圧力Ｐinが第３閾値より大きい第４閾値（冷媒吸込圧力ロードアップ値Ｐ４）より高い場合には、他のすべての冷媒回路の圧縮機の容量を増大させ、冷媒吸込圧力Ｐinが第３閾値と第４閾値との間の場合には、他のすべての冷媒回路の圧縮機の容量を維持する。
さらに、制御部５２は、高元側冷媒回路１２の凝縮器２２への外部熱媒流入温度が第５閾値（外部熱媒流入温度ロードダウン値Ｔ１）より高い場合には、他のすべての圧縮機の容量を低減させ、凝縮器２２への外部熱媒流入温度が第６閾値（外部熱媒流入温度ロードアップ値Ｔ２）より低い場合には、他のすべての圧縮機の容量を増大させ、凝縮器２２への外部熱媒流入温度が第５閾値と第６閾値との間の場合には、他のすべての圧縮機の容量を維持する。
【００２１】
具体的には、図２に示すように、インバータ装置４０による高元側圧縮機１８の回転数の調整により、圧縮機１８のフル運転に対して、２５％（ステップ１）、５０％（ステップ２）、７５％（ステップ３）、および１００％（ステップ４）の４段階において運転可能とし、以下に説明するように、ロードダウンおよびロードアップの際、それぞれ、ロードダウン条件およびロードアップ条件を満たす場合には、現状の運転状況（たとえば、ステップ３）に対して、ロードダウンであれば、１ステップ低減してステップ２として、一方、ロードアップであれば、１ステップ増大してステップ４とするようにしてある。なお、中元側圧縮機２８および低元側圧縮機３８についても、同様である。
因みに、冷媒吐出圧力ロードダウン値Ｐ１、冷媒吸込み圧力ロードダウン値Ｐ２、冷媒吐出圧力ロードアップ値Ｐ３、冷媒吸込圧力ロードダウン値Ｐ４、外部熱媒流入温度ロードダウン値Ｔ１および外部熱媒流入温度ロードアップ値Ｔ２それぞれの設定については、三元冷凍装置１０の運転前に予め設定しておく必要があるが、そのために、たとえば、三元冷凍装置１０の試運転を行い、その運転結果に基づいて、これらの設定値を適宜設定するのでよい。
この場合、圧縮機１８、２８、３８を保護するために、保護回路（図示せず）により、冷媒吐出圧力Ｐoutが高圧カット値ＰＨ以上となった場合、あるいは冷媒吸込圧力Ｐinが低圧カット値ＰＬ以下となった場合には、圧縮機１８、２８、３８を強制的に停止するようにしてあるが、冷媒吐出圧力ロードダウン値Ｐ４は、少なくとも高圧カット値ＰＨより低く設定され、冷媒吸込圧力ロードダウン値Ｐ２は、少なくとも低圧カット値ＰLより高く設定される。
【００２２】
制御部５２には、遅延タイマーおよび再開タイマー（いずれも図示せず）が接続され、制御部５２による圧縮機の容量制御を実行するタイミングを設定しており、遅延タイマーにおいては、制御部５２において、高元側圧縮機１８または低元側圧縮機３８をロードアップまたはロードダウンすべきと判定した後、所定時間経過後にロードアップまたはロードダウンを実行するように所定時間を設定し、一方、再開タイマーにおいては、制御部５２において、すべての圧縮機１８、２８および３８をロードアップまたはロードダウンを実行した後、所定時間経過後にロードアップまたはロードダウンをすべきかを再度判定するように所定時間を設定している。これは、冷凍装置の特性として、すべての圧縮機１８、２８および３８の回転数を増減させた後、冷媒吐出圧力Ｐoutあるいは冷媒吸込み圧力の変動として現われるのに、時間遅れが生じることを考慮してものである。
【００２３】
運転モードは、起動低負荷運転、準備運転、能力制御運転、および停止準備運転の４つに分かれ、高圧カットアウトあるいは低圧カットアウトについては、計装電源オンにより常時監視しているが、高元側、中元側および低元側それぞれの圧縮機の容量制御（回転数制御）は、負荷運転である能力制御運転でのみ行っている。
能力制御運転に至るまでの過度運転に相当する起動低負荷運転、準備運転については、高元側、中元側および低元側それぞれの圧縮機に対して所定回転数を設定したうえで、所定運転条件を充足しない限り、次の運転モードに移行しないようにしている。
より詳細には、起動低負荷ロードダウン運転から準備運転への移行は、タイマー（図示せず）による時間設定により、準備運転から能力制御運転への移行は、タイマーによる時間設定に加え、高元側、中元側および低元側それぞれの圧縮機の冷媒吸込み圧力が所定値以上に達することを条件としている。
【００２４】
以上の実施形態において、低元側の蒸発器７２に負荷が接続される構成、すなわち冷却運転が行われる場合の他、高元側の凝縮器２２に負荷が接続される加熱運転（例えば、暖房や蒸気発生装置として適用する場合など）に用いたり、これらを交互に切り換え可能な構成としたりしてもよい。
【００２５】
以下では、能力制御運転へ移行後における高元側、中元側および低元側それぞれの圧縮機の容量制御方法について、説明する。
高元側圧縮機１８および低元側圧縮機３８それぞれについて、能力制御運転中において、高元側冷媒吐出圧力Ｐoutのみならず、低元側冷媒吸込圧力Ｐinおよび凝縮器２２における外部熱媒の流入温度Ｔin（高元側冷媒回路１２のみ）それぞれの変化に基づいて、ロードダウン条件、およびロードアップ条件を定めており、制御部５２により、このようなロードダウン条件、およびロードアップ条件に基づいて、圧縮機１８、２８、および３８それぞれの容量制御を併行して行うようにしている。
【００２６】
より詳細には、図３に示すように、ロードダウン条件については、高元側圧縮機１８の冷媒吐出圧力Ｐoutが冷媒吐出圧力ロードダウン値Ｐ１より高い場合（ＩＩＩ）、低元側圧縮機３８の冷媒吸込圧力Ｐinが冷媒吸込圧力ロードダウン値Ｐ２より低い場合（ＩＶ）、および凝縮器２２への外部熱媒流入温度Ｔinが外部熱媒流入温度ロードダウン値Ｔ１より高い場合（ＶＩ）の少なくともいずれかを満たすことを条件に実行され、ロードアップ条件については、高元側圧縮機１８の冷媒吐出圧力Ｐoutが冷媒吐出圧力ロードアップ値Ｐ３より低い場合（Ｉ）、低元側圧縮機３８の冷媒吸込み圧力Ｐinが冷媒吸込圧力ロードアップ値Ｐ４より高い場合（ＩＩ）、および凝縮器２２への外部熱媒流入温度Ｔinが外部熱媒流入温度ロードアップ値Ｔ２より低い場合（Ｖ）のすべてを満たすことを条件にしている。
【００２７】
ロードダウン条件について、条件（ＩＩＩ）、（ＩＶ）および（ＶＩ）のいずれかが満たされる場合とする一方、ロードアップ条件について、条件（Ｉ）、（II)および（Ｖ）のすべてが満たされる場合とするのは、ロードダウン条件については、１つの条件でも満たしている状態で放置すると三元冷凍装置１０への機械的負担が大きく、たとえば損傷を引き起こす可能性が高いためであり、一方、ロードアップ条件については、ロードダウン条件に比べて、比較的機械的負担が少なく、また容量制御のハンチングを抑制する観点からも全ての条件が満たされる必要があるからである。
これにより、外部熱媒の入口温度により検知できる凝縮器２２における外部負荷変動をより早期に検知して容量制御に反映できる点や、蒸発器１６における外部負荷の変動にも対応可能な点で、技術的に有利である。
さらに、図３に示すように、ロードダウン条件における再開タイマーの時間間隔について、凝縮器２２への外部熱媒流入温度Ｔinが外部熱媒流入温度ロードダウン値Ｔ１より高い場合（ＶＩ）の再開タイマーの設定時間間隔について、冷媒吐出圧力Ｐoutが冷媒吐出圧力ロードダウン値Ｐ１より高い場合（ＩＩＩ）、および冷媒吸込圧力Ｐinが冷媒吸込圧力ロードダウン値Ｐ２より低い場合（ＩＶ）それぞれに対してよりも長くなるように、時間間隔を設定する。
ロードアップ条件について、条件（Ｉ）、（ＩＩ）および（Ｖ）それぞれに対して、再開タイマＴＭ３により同じ時間間隔を設定するのに対して、ロードダウン条件について、条件（ＩＩＩ）、（ＩＶ）および（ＶＩ）それぞれに対して、異なる時間間隔を設定するのは、それぞれの反応速度や、機械的な負担、あるいは危険性が異なるためであり、特に、凝縮器２２への外部熱媒流入温度Ｔinが外部熱媒流入温度ロードダウン値Ｔ１より高い場合（ＶＩ）の再開タイマーの設定時間間隔について、最も長い時間間隔を設定するのは、  外部熱媒の保有量にもよるが、通常は、前回の容量制御の結果が現在値には反映されるまので時間遅れが最も長いと想定されるためである。この場合、たとえば、条件（ＶＩ）の再開タイマーの設定時間間隔は、数分に対して、条件（ＩＩＩ）および（ＩＶ）のそれは、それぞれ、数秒および数十秒である。
なお、再開タイマーおよび遅延タイマーそれぞれの時間間隔の設定について、ロードアップ条件（条件（Ｉ）、（ＩＩ）および（Ｖ））の各々、ローダダウン条件（条件（ＩＩＩ）、（ＩＶ）および（ＶＩ））の各々に対して、個別に設定すればよい。
【００２８】
以上のようなロードアップ条件およびロードダウン条件のもとで、図３に示すように、ステップ１およびステップ２それぞれにおいて、ロードアップ判定およびロードダウン判定を行う。
ロードアップ判定において、ロードアップ条件（条件（Ｉ）、（ＩＩ）および（Ｖ））を満たす場合には、ステップ３に行き、満たさない場合には、現時点においてロードアップの必要なしとして、初期の圧力監視状態に戻る。
次いで、ステップ３において、ロード判定を行う。すなわち、現在のロードがどのステップ（容量％）にあるかを確認する。この場合、現在のロードがステップ４（最高ステップ）にある場合には、初期の圧力監視状態に戻る。
次いで、ステップ４において、遅延タイマーＴＭ１をスタートして、時間間隔Ｔ１の経過後に、ロードを１ステップ上げるロードアップを、高元側圧縮機１８、中元側圧縮機２８および低元側圧縮機３８のすべてについて、併行して行う。
【００２９】
次いで、ステップ５において、再開タイマーＴＭ３をスタートして、時間間隔Ｔ２の経過後に、ステップ１または２に戻り、ロードアップ判定およびロードダウン判定を行う。
一方、ロードダウン判定において、高元側圧縮機１８の冷媒吐出圧力Ｐoutの測定値がロードダウン条件を満たす場合には、ステップ６に行き、高元側圧縮機１８の冷媒吐出圧力Ｐoutの測定値が満たさない場合には、現時点においてロードダウンの必要なしとして、初期の圧力監視状態に戻る。
次いで、ステップ６において、ロード判定を行う。すなわち、現在のロードがどのステップにあるかを確認する。この場合、現在のロードがステップ１（最低ステップ）にある場合には、高元側圧縮機１８、中元側圧縮機２８および低元側圧縮機３８のすべての圧縮機を停止する。
次いで、ステップ７において、遅延タイマーＴＭ２をスタートして、時間間隔Ｔ３の経過後に、ロードを１ステップ下げるロードダウンを高元側圧縮機１８、中元側圧縮機２８および低元側圧縮機３８のすべてについて、併行して行う。
次いで、ステップ８Ａにおいて、再開タイマーＴＭ３をスタートして、時間間隔Ｔ４（図５参照）の経過後に、ステップ１または２に戻り、ロードアップ判定およびロードダウン判定を行う。
なお、ロードダウン条件は、ロードアップ条件とは異なり、３つの条件（条件（ＩＩＩ）、（ＩＶ）および（ＶＩ））の少なくとも１つの充足であることから、たとえば、条件（ＩＩＩ）に関連する再開タイマーＴＭ３のカウント中にも、他の条件（ＩＶ）および（ＶＩ）の充足判定を継続して行っているところ、再開タイマーＴＭ３のカウント終了前に条件（ＩＶ）または（ＶＩ）を充足した場合には、再度ロードダウンを行う。
【００３０】
この場合、ロードアップおよびロードダウン共通に、図４（Ｄ）に示すように、高元側冷媒回路１２、中元側冷媒回路１１および低元側冷媒回路１４それぞれにおいて、圧縮機の容量制御を互いに独立に個別に判断したうえで、高元側圧縮機１８、中元側圧縮機２８および低元側圧縮機３８を順次に容量制御しない限り、図４（Ａ）に示すように、高元側圧縮機１８、中元側圧縮機２８および低元側圧縮機３８を同時に容量制御してもよいし、図４（Ｂ）に示すように、高元側圧縮機１８の容量制御後、所定時間内t1に中元側圧縮機２８および低元側圧縮機３８を同時に容量制御してもよいし、図４（Ｃ）に示すように、高元側圧縮機１８の容量制御後、所定時間t1内に中元側圧縮機２８を容量制御し、さらに所定時間t2内に低元側圧縮機３８を容量制御してもよい。この場合、所定時間t1およびt２は、高元側の冷媒回路の圧縮機１８の容量制御を先発して行うときに、他のいずれかの冷媒回路の冷凍サイクルの能力バランスが崩れたり、運転状態の不安定化を生じる前に、他のすべての冷媒回路の圧縮機２８、３８の容量制御を行うように定めればよい。
なお、図４において、時間間隔Ｔは、高元側冷媒回路１２、中元側冷媒回路１１および低元側冷媒回路１４それぞれにおいて、圧縮機の容量制御を開始して、冷媒圧力が安定するまでの時間間隔を意味するものである。
【００３１】
以上のように、能力制御運転開始後、常時、冷媒の吐出圧力、吸込圧力および外部熱媒流入温度を監視したうえで、ロードアップ判定を満たす場合には、ロードを１ステップ上げ、ロードダウン判定を満たす場合には、ロードを１ステップ下げ、ロードアップ判定およびロードダウン判定いずれも満たさない場合には、ロードを維持し、以て、三元冷凍装置１０をヒートポンプとして利用する場合に、凝縮器２２または蒸発器１６における外部負荷変動に応じて、圧縮機１８の効率的な運転が可能となる。
【００３２】
図５は、このようなロードダウン条件およびロードアップ条件に基づいて、能力制御運転中において、すべての圧縮機（高元側圧縮機１８、中元側圧縮機２８および低元側圧縮機３８）の容量制御を併行して行っている場合の、高元側圧縮機１８の冷媒吐出圧力Ｐout、低元側圧縮機３８の冷媒吸込み圧力および凝縮器２２の外部熱媒の流入温度Ｔinそれぞれの時間変化を示すグラフである。
図５に示すように、能力制御運転中において、高元側圧縮機１８の容量制御を行うことにより、高元側圧縮機１８の冷媒吐出圧力Ｐoutが冷媒吐出圧力ロードアップ値Ｐ３より低い場合（Ｉ）、低元側圧縮機３８の冷媒吸込み圧力が冷媒吸込圧力ロードアップ値Ｐ４より高い場合（ＩＩ）、および凝縮器２２への外部熱媒流入温度Ｔinが外部熱媒流入温度ロードアップ値Ｔ２より低い場合（Ｖ）のすべてを満たすことにより、遅延タイマーＴＭ１による時間間隔Ｔ１経過後、容量を１ステップ増大し、再開タイマーＴＭ３の時間間隔Ｔ２経過後、ロードアップ判定およびロードダウン判定を行い、再度ロードアップ判定（ロードアップ２）がなされ、さらに容量を１ステップ増大し、同じような判定を繰り返すことにより（ロードアップ３）、容量保持に至っている。
【００３３】
次いで、高元側圧縮機１８の冷媒吐出圧力Ｐoutが冷媒吐出圧力ロードダウン値Ｐ１より高い場合（ＩＩＩ）を充足するに至り、低元側圧縮機３８の冷媒吸込圧力Ｐinが冷媒吸込圧力ロードダウン値Ｐ２より低い場合（ＩＶ）、および凝縮器２２への外部熱媒流入温度Ｔinが外部熱媒流入温度ロードダウン値Ｔ１より高い場合（ＶＩ）の如何を問わず、遅延タイマーＴＭ２による時間間隔Ｔ３経過後、容量を１ステップ低減し、ロードアップの場合と同様に、このような判定を繰り返すこと（ロードダウン２および３）により、容量保持に至っている。
【００３４】
変形例として、ロードダウン条件およびロードアップ条件に基づいて、ロードダウンあるいはロードアップする場合、高元側圧縮機１８の冷媒吐出圧力Ｐout、低元側圧縮機３８の冷媒吸込圧力Ｐinおよび外部熱媒流入温度Ｔinの測定値のロードダウン条件およびロードアップ条件に対する偏差を算出して、この偏差に応じて、どのぐらいロードダウンあるいはロードアップするかを決定してもよい。
より詳細には、本実施形態においては、ロードダウン条件およびロードアップ条件を満たしさえすれば、測定値との偏差に係わらず、すべての圧縮機（高元側圧縮機１８、中元側圧縮機２８および低元側圧縮機３８）の容量を一律に１ステップ増減させていたが、たとえば、ロードアップの際、偏差が大きい場合には、それだけロードアップの緊急性および必要性があることから、１ステップでなく数ステップ増大させ、逆に偏差が小さい場合には、ロードアップの緊急性および必要性が小さいことから、通常どおり、１ステップ増大させてもよい。この場合、偏差の判定は、遅延タイマーによる時間設定後に判定するのがよい。
さらに、負荷変動を生じた冷媒回路の圧縮機（高元側圧縮機１８または低元側圧縮機３８）の容量制御に対して、他のすべての冷媒回路の圧縮機の容量制御を併行して行うとしても、ロードダウンあるいはロードアップする場合のステップの増減幅は、高元側圧縮機１８、中元側圧縮機２８および低元側圧縮機３８の間で異なっていてもよい。この場合、高元側冷媒回路１２、中元側冷媒回路１１、および低元側冷媒回路１４それぞれの冷媒の種類、圧縮機の種類等を考慮して、各冷媒回路におけるステップの増減幅を決めるのでもよい。
【００３５】
さらに、高元冷媒回路１２、中元冷媒回路１１および低元冷媒回路１４において、異なる冷媒が用いられる場合において、制御部５２は、圧縮機の冷媒吐出圧力と冷媒吸入圧力との比からなる圧力比を演算し、複数の冷媒回路の圧力比同士の比率が、冷媒の物性値の違いに応じた所定値に維持されるように圧縮機の回転数制御を行ってもよい。
加えて、第１閾値および／または第２閾値は、高元冷媒回路１２の凝縮器２２または低元側冷媒回路１４の蒸発器７２における外部負荷変動幅および／または外部負荷変動に対して、三元冷凍装置１０に要求される負荷追従性により決定しもよい。
【００３６】
以上の構成を有する三元冷凍装置１０の圧縮機の容量制御方法によれば、各冷媒回路における圧縮機にその容量を制御する容量制御回路を設け、この容量制御回路により、最も高元側の冷媒回路１２または最も低元側の冷媒回路１４の負荷変動に応答して、負荷変動を生じた冷媒回路の圧縮機の容量制御を行う場合に、他のすべての冷媒回路の圧縮機の容量制御を併行して行うことにより、たとえば、負荷変動を生じた最も高元側の冷媒回路１２の圧縮機を先発で容量制御したうえで、他のすべての冷媒回路の圧縮機の容量制御を順次行うとすれば、先発でアンロードの容量制御された高元側冷媒回路の冷凍サイクルに他方の低元側冷媒回路の容量が適切に追従するまでのタイムラグの時間間隔において、一時的に各冷凍サイクルの能力バランスが崩れ、互いに圧力比が大きく異なる状態が生じることがあり、特に遅延タイマー等による後発の容量制御のタイミングが遅い場合には、高圧カット保護による異常停止を引き起こすことがあり、あるいは、異常停止に至らないとしても、各冷媒回路の容量制御が連鎖的に継続し、運転状態の安定化に時間を要することとなるところ、本発明によれば、このような冷凍サイクルの効率性が低下することもなく、各冷凍装置の運転状態を安定に保持しつつ、効率的な運転が可能となる。
【００３７】
以上、本発明の実施形態を詳細に説明したが、本発明の範囲から逸脱しない範囲内において、当業者であれば、種々の修正あるいは変更が可能である。
たとえば、本実施形態においては、三元冷凍装置として説明したが、それに限定されることなく、二元、または四元以上の多元冷凍装置に対しても適用可能である。
たとえば、本実施形態においては、圧縮機の容量制御について、ロードアップおよびロードダウンの際、それぞれの条件を満たす場合、容量を１ステップ増減しているところ、ステップによる刻み幅（％）を２５％と固定のものとして説明したが、それに限定されることなく、たとえば、凝縮器２２における負荷は低下は速いが上昇は遅い等負荷側の特性がある場合に、それに応じて、ステップ間で刻み幅を可変とするのでもよい。
【００３８】
たとえば、本実施形態においては、ロードアップおよびロードダウンいずれの場合も、ロード（容量）の変更は、予め容量を段階的に複数のステップに定めたうえで、１ステップ増減させる場合を説明したが、それに限定されることなく、ロードアップおよびロードダウンそれぞれの判定の場面における条件充足の程度に応じて、一度に複数ステップの増減をしてもよいし、あるいは段階的でなく、連続的に増減させてもよい。
【図面の簡単な説明】
【００３９】
【図１】本発明の実施形態に係る三元冷凍装置の全体構成図である。
【図２】本発明の実施形態に係る三元冷凍装置の圧縮機の容量制御のステップを示す図である。
【図３】本発明の実施形態に係る三元冷凍装置の圧縮機の容量制御のフロ―を示す図である。
【図４】本発明の実施形態に係る三元冷凍装置の圧縮機の容量制御において、高元側圧縮機、中元側圧縮機および低元側圧縮機それぞれの容量制御の制御タイミングを示す模式図である。
【図５】本発明の実施形態に係る冷凍装置の圧縮機の容量制御において、高元側圧縮機１８の冷媒吐出圧力Ｐout、低元側圧縮機３８の冷媒吸込圧力Ｐinおよび凝縮器の外部熱媒の流入温度Ｔinそれぞれの時間変化を示すグラフである。
【符号の説明】
【００４０】
ＰＨ  高圧カットアウト値
ＰＬ  低圧カットアウト値
Ｐ１  冷媒吐出圧力ロードダウン値
Ｐ２  冷媒吸込圧力ロードダウン値
Ｐ３  冷媒吐出圧力ロードアップ値
Ｐ４  冷媒吸込圧力ロードアップ値
Ｔ１  外部熱媒流入温度ロードダウン値
Ｔ２  外部熱媒流入温度ロードアップ値
１０  三元冷凍装置
１１  中元側冷媒回路
１２  高元側冷媒回路
１４  低元側冷媒回路
１６  第１中間熱交換器
１８  高元側圧縮機
２０  高元側冷媒往管
２２  凝縮器
２４  膨張弁
２６  高元側冷媒復管
２８  中元側圧縮機
３０  中元側冷媒往管
３４  膨張弁
３８  中元側圧縮機
３９  駆動用モータ
４０  インバータ装置
４１  低元側冷媒往管
４２  油分離器
４４  受液器
４７  アキュムレータ
４８  駆動用モータ
４９  膨張弁
５０  インバータ装置
５２  制御部
５４  受液器
５７  アキュムレータ
５８  駆動用モータ
６０  インバータ装置
６４  受液器
６７  アキュムレータ
７１  第２中間熱交換器
７２  蒸発器
７３  中元側冷媒復管
７４  低元側冷媒復管
【図１】
2015215109.tif 000003
【図２】
2015215109.tif 000004
【図３】
2015215109.tif 000005
【図４】
2015215109.tif 000006
【図５】
2015215109.tif 000007